(57)【要約】【課題】携帯時の利便性が向上した電子機器を提供することを課題とする。【解決手段】ノートパソコン１は、本体部１０と、本体部１０に対して開閉可能な表示部５０と、本体部１０及び表示部５０のそれぞれに重ね合わせ可能な操作部３０とを備え、本体部１０、表示部５０及び操作部３０が重なった重畳状態、及び、本体部１０から開いた表示部５０に操作部３０が重なった展開状態のいずれの状態でも携帯可能である。ノートパソコン１は、重畳状態であっても、展開状態でも携帯可能であるので、利便性が向上する。【選択図】図３
2009245074.tif 000002
【特許請求の範囲】
【請求項１】
本体部と、
前記本体部に対して開閉可能な表示部と、
前記本体部及び表示部のそれぞれに重ね合わせ可能な操作部とを備え、
前記本体部、表示部及び操作部が重なった重畳状態、及び、前記本体部から開いた前記表示部に前記操作部が重なった展開状態のいずれの状態でも携帯可能である、ことを特徴とする電子機器。
【請求項２】
前記表示部は、ディスプレイを有し、
前記操作部は、ユーザインターフェイスを有し、
前記展開状態において、前記ディスプレイ及びユーザインターフェイスが遮蔽されるように前記表示部に前記操作部が重なる、ことを特徴とする請求項１に記載の電子機器。
【請求項３】
前記操作部と、前記本体部又は表示部との重なりを維持する維持機構を備えている、ことを特徴とする請求項１又は２に記載の電子機器。
【請求項４】
前記操作部が重ねられる前記本体部の重ね合わせ面に、記憶媒体を挿入するための挿入口が形成されている、ことを特徴とする請求項１乃至３の何れかに記載の電子機器。
【請求項５】
前記本体部及び操作部は、互いに無線通信可能な無線通信部をそれぞれ有していると共に、分離可能である、ことを特徴とする請求項１乃至４の何れかに記載の電子機器。
【請求項６】
前記操作部を、前記本体部及び表示部に挟まれるようにして前記本体部及び前記表示部に対して開閉可能に連結する連結構造を有している、ことを特徴とする請求項１乃至５の何れかに記載の電子機器。
【発明の詳細な説明】
【技術分野】
【０００１】
本発明は、電子機器に関し、特に携帯可能な電子機器に関する。
【背景技術】
【０００２】
携帯可能な電子機器として、例えばノート型パーソナルコンピュータ（以下、ノートパソコンと称する）が知られている。このようなノートパソコンは、更なる小型化、薄型化が臨まれている。また、バッテリーによる稼働時間の長期化も望まれている。
【０００３】
【特許文献１】特開平１１−２９６２５９号公報
【特許文献２】特開平５−２３３０９５号公報
【発明の開示】
【発明が解決しようとする課題】
【０００４】
ノートパソコンは、本体部に対して表示部を閉じた状態で携帯される。閉状態においては、本体部に表示部が重なるため、ノートパソコンは最も厚みが増した状態となる。従来のノートパソコンは、このように携帯可能な状態が一態様しかなく、厚みが増した状態で携帯されるため、その利便性を欠いていた。
【０００５】
そこで本発明は上記の課題に鑑みてなされたものであり、携帯時の利便性が向上した電子機器を提供することを目的とする。
【課題を解決するための手段】
【０００６】
上記課題を解決するために、本明細書開示の電子機器は、本体部と、前記本体部に対して開閉可能な表示部と、前記本体部及び表示部のそれぞれに重ね合わせ可能な操作部とを備え、前記本体部、表示部及び操作部が重なった重畳状態、及び、前記本体部から開いた前記表示部に前記操作部が重なった展開状態のいずれの状態でも携帯可能である。これにより、重畳状態又は展開状態のいずれかの状態で電子機器を携帯することができる。このため、携帯時の利便性が向上する。
【発明の効果】
【０００７】
携帯時の利便性が向上した電子機器を提供できる。
【発明を実施するための最良の形態】
【０００８】
以下、本発明の実施形態について図面を参照しながら説明する。
【実施例１】
【０００９】
図１は、実施例１に係るノートパソコン１の斜視図である。ノートパソコン１は、電子機器に相当する。ノートパソコン１は、本体部１０、操作部３０、表示部５０を有している。操作部３０、表示部５０は、本体部１０に対して開閉可能に連結されている。詳細には、操作部３０は、本体部１０及び表示部５０に挟まれるようにして本体部１０及び表示部５０に対して開閉可能に連結されている。換言すれば、操作部３０は、本体部１０及び表示部５０のそれぞれに重ね合わせることが可能に連結されている。これら連結構造については後述する。操作部３０には、表面３１にユーザインターフェイス３３、係止孔３８が設けられている。また、表示部５０には、ディスプレイ５３、係止爪５８が設けられている。係止孔３８、係止爪５８は、操作部３０及び表示部５０が閉じた状態、即ち、操作部３０及び表示部５０が重なった状態において、この状態が維持されるように物理的に係合する。ユーザインターフェイス３３は、キーボード、ポインティングデバイスを含む。
【００１０】
図２は、本体部１０から操作部３０が開いた状態のノートパソコン１の斜視図である。本体部１０から操作部３０を開くと、操作部３０によって遮蔽されていた表面１１が露出する。この表面１１には、ＤＶＤ（Digital Versatile Disc）などのディスク状の記憶媒体を挿入又は取出しするための挿入口１３が設けられている。表面１１は、操作部３０が重ねられる本体部１０の重ね合わせ面に相当する。
【００１１】
図３は、ノートパソコン１の携帯可能な状態の説明図である。図３（Ａ）は、本体部１０、操作部３０、及び表示部５０が重なった重畳状態の説明図であり、図３（Ｂ）は、本体部１０から表示部５０が開いて表示部５０に操作部３０が重なった展開状態の説明図である。
【００１２】
図３（Ａ）に示すように、ノートパソコン１の厚みＴ１は、重畳状態において最も厚い状態となる。従来のノートパソコンは、このように本体部１０、操作部３０及び表示部５０が重なった状態でのみ、携帯することが可能であった。しかしながら、図３（Ｂ）に示すように、操作部３０及び表示部５０を閉じた状態にすることにより、ディスプレイ５３は、操作部３０の表面３１によって遮蔽される。これにより、図３（Ｂ）に示した展開状態で携帯した場合であっても、ディスプレイ５３が傷つくことを防止できる。従って、本実施例に係るノートパソコン１は、このような展開状態でも携帯することができる。
【００１３】
また、展開状態におけるノートパソコン１の厚みＴ２は、重畳状態における厚みＴ１よりも薄い。また、展開状態におけるノートパソコン１の全長は、重畳状態におけるノートパソコン１の全長よりも大きい。従って、ユーザは、状況に応じて、展開状態、重畳状態の何れかの状態を選択してノートパソコン１を携帯することができる。例えば、薄型化を優先したい場合には、展開状態で、小型化を優先したい場合には、重畳状態でノートパソコン１を携帯することができる。これにより、携帯時の利便性が向上する。
【００１４】
また、展開状態におけるノートパソコン１の厚みＴ２は、本体部１０の厚みと一致する。即ち、本体部１０は、操作部３０、表示部５０よりも厚い。本体部１０の厚みは、本体部１０に内蔵されているバッテリ２５の大きさに依存する。本体部１０全体を薄型化するために、バッテリ２５を小型化することも考えられる。しかしながら、バッテリ２５を小型化すると、容量が減少して、ノートパソコン１の稼働時間を確保できない恐れがある。従って、バッテリ２５を小型化することは好ましくない。本実施例に係るノートパソコン１は、バッテリ２５を小型化する必要がないのでバッテリ２５の稼働時間を確保でき、かつ従来のノートパソコンよりも薄い状態で携帯することを可能とするものである。
【００１５】
尚、図１において示した、係止孔３８、係止爪５８は、図３（Ｂ）に示した展開状態において、互いに係合することにより、操作部３０及び表示部５０が重なった状態が維持される。これにより、ノートパソコン１が展開状態で携帯されている際に、操作部３０及び表示部５０が開くことを防止できる。これにより、展開状態での携帯時に操作部３０及び表示部５０が開いて、ディスプレイ５３が露出して破損することを防止できる。また、操作部３０及び表示部５０が重なった状態においては、ユーザインターフェイス３３も表示部５０により遮蔽されるため、展開状態での形態時におけるユーザインターフェイス３３の破損を防止できる。
【００１６】
また、挿入口１３は、表面１１に設けられている。このため、スペースの有効利用を図ることができる。例えば、従来のノートパソコンのように、本体部の側部に挿入口を設けた場合、本体部に対して横方向にディスクドライブのトレイを引き出す必要がある。従って、ディスクをトレイに挿入又は取り出す際には、トレイを引き出せるだけのスペースが必要であった。しかしながら、狭い環境下でノートパソコンを使用する場合には、このスペースを確保することが困難な場合がある。本実施例に係るノートパソコン１は、表面１１に挿入口１３を設けることにより、狭い環境下でもディスクの挿入及び取り出しが容易である。
【００１７】
次に、本体部１０に対する操作部３０、表示部５０の連結構造について説明する。図４は、連結構造の説明図である。図４（Ａ）は、図１に示した状態、即ち、本体部１０から表示部５０が開き、本体部１０及び操作部３０は閉じた状態での、連結構造の拡大図である。図４（Ｂ）は、展開状態での連結構造の拡大図である。図１、図４に示すように、本体部１０は、略矩形状に形成され、表面１１の一辺には軸部１６が形成されている。軸部１６は、その中央部分が大径に、端部１６１が小径に形成されている。端部１６１は、操作部３０に形成された軸受部３６、及び表示部５０に形成された軸受部５６と、相対的に回転可能に連結されている。また、軸受部５６は、軸受部３６よりも外側で端部１６１に連結されている。これにより、表示部５０に形成された単一の軸部１６によって、操作部３０、表示部５０が本体部１０に対して開閉可能に連結されている。尚、本体部１０、操作部３０、表示部５０の電気的な接続は、ケーブル７０によって確保されている。
【００１８】
また、図３に示すように、表示部５０は、ディスプレイ５３が形成された平板状の部分から、曲げ部５５を介して軸受部５６へと連続している。このように表示部５０は曲げ部５５を介して本体部１０に連結されているので、図３（Ｂ）に示すように、展開状態において、本体部１０の背面と表示部５０の背面とが同一平面状に並ぶように設けられている。これにより、展開状態において、本体部１０の厚みＴ２内に、操作部３０、表示部５０が配置されることになる。従って、薄型化を優先する場合には、展開状態でノートパソコン１を携帯することが可能となる。
【実施例２】
【００１９】
次に、実施例２に係るノートパソコン１ａについて説明する。尚、実施例１に係るノートパソコン１と類似の箇所については類似の符号を付することによりその説明を省略する。図５は、実施例２に係るノートパソコン１ａの斜視図である。図５に示すように、表示部５０ａは本体部１０ａに対してヒンジ１６ａにより開閉可能に連結されている。一方、操作部３０ａは、このような連結構造を介さずに、本体部１０ａに分離可能に固定されている。尚、本体部１０ａと表示部５０ａとは、ケーブル７０によって電気的な接続が確保されている。図５に示すように、表示部５０には係止爪５８ａが２つ設けられ、操作部３０ａには、係止爪５８ａと対応するように係止孔３８ａが２つ設けられている。係止孔３８ａと係止爪５８ａとは、操作部３０と表示部５０とが重なった状態において、物理的に係合する。係止孔３８ａ、係止爪５８ａは、維持機構に相当する。
【００２０】
図６は、表示部５０ａに操作部３０ａを重ねた状態でのノートパソコン１ａの斜視図である。図６に示すように、表面１１には、磁石１９ａが２つ設けられており、裏面３５には、磁石１９ａと対応するように磁石３９ａが２つ設けられている。磁石１９ａと磁石３９ａとは、両者間で磁気的吸着力が作用するように異極同士が対向するように配置されている。磁石１９ａ、３９ａは、維持機構に相当する。
【００２１】
図５に示すように、本体部１０ａ及び操作部３０ａが重なった状態では、磁石１９ａ、３９ａが対向し、両者間の磁気的吸着力の作用によって、本体部１０ａ及び操作部３０ａの重なりが維持される。従って、例えば、図５に示した状態で、ノートパソコン１ａを操作する際に、本体部１０ａから操作部３０ａが外れることを防止できる。
【００２２】
また、図６に示すように、操作部３０ａ及び表示部５０ａが重なった状態では、係止孔３８ａと係止爪５８ａとの係合により、操作部３０ａ及び表示部５０ａの重なりが維持される。従って、例えば、ノートパソコン１ａが展開状態で携帯されている際に、操作部３０ａが表示部５０ａから外れることを防止できる。これにより、展開状態での携帯時に操作部３０ａ及び表示部５０ａが開いて、ディスプレイ５３及びユーザインターフェイス３３が破損することを防止できる。
【００２３】
図７は、ノートパソコン１ａの機能ブロック図である。本体部１０ａは、制御部２１、無線通信部２３、ＨＤＤ(Hard disk drive)２７を含む。操作部３０ａは、ユーザインターフェイス３３を含む。制御部２１は、ＣＰＵ（Central Processing Unit）、ＲＯＭ（Read Only Memory）、ＲＡＭ（Random Access Memory）を有しており、ノートパソコン１ａ全体の動作を制御する。ディスプレイ５３は、制御部２１からの指令に応じて所望の画像を表示する。無線通信部２３、４３は、Bluetooth通信により、無線通信を行う。尚、無線通信部２３、４３は、Bluetooth通信以外の近距離無線通信規格（ＩＥＥＥ８０２．１，赤外線通信，微弱無線等）などにより無線通信を実現してもよい。ユーザインターフェイス３３によって入力された指令は、無線通信部４３、２３を介して制御部２１へと送信される。以上により、本体部１０ａと操作部３０ａとの無線通信が実現される。
【００２４】
図８は、本体部１０ａ、表示部５０ａから操作部３０ａを分離した状態でのノートパソコン１ａの斜視図である。上述したように、本体部１０ａ、操作部３０ａは、互いに無線通信が可能であるため、操作部３０ａを分離した状態でも、ノートパソコン１ａを操作することが可能である。
【００２５】
上述した実施形態は本発明の好適な実施の例である。但し、これに限定されるものではなく、本発明の要旨を逸脱しない範囲内において種々変形実施可能である。
【００２６】
表示部５０ａと操作部３０ａとの重なりを、磁石によって維持してもよい。操作部３０ａと本体部１０ａとの重なりを、物理的に係合する係止孔及び係止爪により維持してもよい。
【図面の簡単な説明】
【００２７】
【図１】実施例１に係るノートパソコンの斜視図である。
【図２】本体部から操作部が開いた状態のノートパソコンの斜視図である。
【図３】ノートパソコンの携帯可能な状態の説明図である。
【図４】連結構造の説明図である。
【図５】実施例２に係るノートパソコンの斜視図である。
【図６】表示部に操作部を重ねた状態でのノートパソコンの斜視図である。
【図７】ノートパソコンの機能ブロック図である。
【図８】本体部、表示部から操作部を分離した状態でのノートパソコンの斜視図である。
【符号の説明】
【００２８】
１、１ａ  ノートパソコン  
１０、１０ａ  本体部
２３、４３  無線通信部
３０、３０ａ  操作部
３３  ユーザインターフェイス
３８、３８ａ  係止孔（維持機構）
３９ａ、５９ａ  磁石（維持機構）
５０、５０ａ  表示部
５３  ディスプレイ
５８、５８ａ  係止爪（維持機構）
【図１】
2009245074.tif 000003
【図２】
2009245074.tif 000004
【図３】
2009245074.tif 000005
【図４】
2009245074.tif 000006
【図５】
2009245074.tif 000007
【図６】
2009245074.tif 000008
【図７】
2009245074.tif 000009
【図８】
2009245074.tif 000010